(57)【要約】【課題】ユーザーが簡単な操作でビデオテープに記録されているアナログ映像音声情報の中のＶＩＳＳ信号で挟まれた部分をＤＶＤにダビングできる映像音声記録再生装置を提供する。【解決手段】テープ記録再生部１１が再生中にダビング開始指令を受けると、インデックス信号制御部１４がインデックスを検出するまでテープ記録再生部１１にテープ巻戻し指令を出し、インデックス信号を検出した個所からテープ記録再生部１１に再生を開始させ、それに同期させてデジタル記録部１２に記録を開始させ、次にインデックス信号制御部１４がインデックスを検出したら、テープ記録再生部１１の再生を停止させ、それに同期させてデジタル記録の記録を停止させることにより、前記課題を解決する。【選択図】図１
2005150899.tif 000002
【特許請求の範囲】
【請求項１】
第１の記録媒体から第２の記録媒体へ映像音声信号のダビングを行う映像音声信号記録再生装置であって、前記第１の記録媒体を再生するとともに動作制御を行う記録再生手段と、前記記録再生手段で再生された映像音声信号を前記第２の記録媒体に記録可能な記録手段と、前記記録再生手段で再生した前記第１の記録媒体からインデックス信号を検出する信号検出手段と、前記信号検出手段で検出したインデックス信号に基づき前記記録再生手段及び前記記録手段を制御するダビング制御手段とを備え、
前記ダビング制御手段は、前記記録再生手段が再生中にダビング開始指令を受けると、前記信号検出手段がインデックスを検出するまで前記第１の記録媒体の頭出しを行い、インデックス信号を検出した個所から前記第１の記録媒体から前記第２の記録媒体へのダビングを開始させ、ダビング中に前記信号検出手段がインデックスを検出すればダビング動作を停止させることを特徴とする映像音声記録再生装置。
【請求項２】
テープに映像音声情報およびインデックス信号を記録再生したり前記テープの巻戻しや早送りを行うテープ記録再生部と、前記テープ記録再生部から送られてくる映像音声情報をデジタル化してデジタル記録メディアに対して書込みを行うデジタル記録部と、ユーザーがダビング動作開始を指令したり前記テープ記録再生部や前記デジタル記録部の操作を行う操作部と、前記テープ記録再生部が記録を開始すると前記テープ記録再生部に対してインデックス信号の書き込みを指令したり前記テープ記録再生部が再生中にはインデックス信号を検出するインデックス信号制御部と、前記インデックス信号制御部で検出したインデックス信号に基づき前記テープ記録再生部及び前記デジタル記録部を制御するダビング制御部とを備え、
前記ダビング制御部は、前記テープ記録再生部が再生中に前記操作部からダビング開始指令を受けると前記インデックス信号制御部がインデックスを検出するまで前記テープ記録再生部にテープ巻戻し指令を出し、インデックス信号を検出した個所から前記テープ記録再生部に再生を開始させ、それに同期させて前記デジタル記録部に記録を開始させ、次に前記インデックス信号制御部がインデックスを検出したら、前記テープ記録再生部の再生を停止させ、それに同期させて前記デジタル記録の記録を停止させることを特徴とする映像音声記録再生装置。
【請求項３】
デジタル記録部の代わりにアナログ記録部を有することを特徴とする請求項１記載の映像音声記録再生装置。
【発明の詳細な説明】
【技術分野】
【０００１】
本発明は、磁気テープメディアに対してアナログ映像音声情報を記録／再生を行うアナログ記録再生機能と、ＤＶＤ（デジタル多用途ディスク）などのデジタル記録メディアに対してデジタル映像音声情報を記録する機能を有する複合機であり、特に磁気テープメディアの内容をＤＶＤにダビングできるように構成された映像音声記録装置に関するものである。
【背景技術】
【０００２】
例えば、映画などの映像音声情報を記録するのに、従来から知られているアナログ的に記録する磁気テープ（ビデオテープ）や、近年の圧縮符号化技術の発達に伴い普及しつつあるデジタル的に記録するＤＶＤなどが用いられている。磁気テープを駆動させて情報を記録／再生する装置としてはＶＴＲ（ビデオテープレコーダー）などがあり、また、光ディスクを駆動させて情報を記録／再生する装置としてはＤＶＤレコーダーなどがある。
【０００３】
ところで、最近では、上記にようなＶＴＲとＤＶＤレコーダーが一体化した複合機が提案されている。このような複合機は、磁気テープに記録されている情報を記録型ＤＶＤにダビングすることができる機能を有している。また、ビデオテープに記録している映像記録情報を記録型ＤＶＤに移し変え、保管スペースを有効活用するという市場ニーズも向上している。
【０００４】
図４にＶＴＲとＤＶＤレコーダーの複合機の構成を模式的に示した。図示のように、複合機４１内に、テープカセット４２に対して映像音声信号の記録再生が可能なＶＴＲ部と、ディスク４３に対して映像音声信号などを記録再生可能なＤＶＤ部とを備え、テープカセットおよびディスクを挿抜可能なスロットやトレイを備えている。このような機器を用いることで、テープカセット４２に記録された映像音声信号をディスク４３にダビングしたり、ディスク４３に記録された映像音声信号をテープカセット４２にダビングしたりすることができる。
【０００５】
以下に従来の映像音声記録再生装置について説明する。図５は従来の映像音声記録再生装置のブロック図を示すものである。
【０００６】
図５において、２１は磁気テープメディアに映像音声情報およびインデックス信号を記録再生したり、テープの巻戻しや早送りを行うテープ記録再生部であり、２２は前記テープ記録再生部から送られてくる映像音声情報をデジタル化してデジタル記録メディアに対して書込みを行うデジタル記録部であり、デジタル記録メディアとしてはＤＶＤなどの光ディスクや、メモリカードなどがある。２３はユーザーがダビング動作開始を指令したり前記テープ記録再生部や前記デジタル記録部の操作を行う操作部であり、２４は前記テープ記録再生部がテープ走行中にテープの始端や終端を検出してダビング制御部へ知らせるテープ始終端検出部である。２５は前記操作部からダビング開始指令を受けると、前記テープ始終端検出部がテープの始端を検出するまで前記テープ記録再生部にテープ巻戻し指令を出し、テープの始端を検出したら、そこから前記テープ記録再生部に再生を開始させ、それに同期させて前記デジタル記録部に記録を開始させ、次に前記テープ始終端検出部がテープの終端を検出したら、前記テープ記録再生部の再生を停止させ、それに同期させて前記デジタル記録の記録を停止させるダビング制御部である。
【０００７】
以上のように構成された従来の映像音声記録再生装置について、以下その動作について説明する。
【０００８】
磁気テープに記録されている映像音声情報をディスクにダビングしたい場合、ユーザーは、テープ記録再生部２１に磁気テープを内包したテープカセットを装着し、デジタル記録部２２に記録型ディスクを入れて、操作部２３からダビングの開始を指令する。
【０００９】
ダビング制御部２５は操作部２３からダビング開始指令を受け取ると、テープ記録再生部２１に対してテープの巻き戻し指令を出す。これによりテープ記録再生部２１は、キャプスタンやリール台を駆動してテープの巻き戻しを行う。
【００１０】
テープが巻き戻されているときに、テープ始終端検出部２４が、テープの始端を検出すると、検出したことをダビング制御部２５に知らせる。ダビング制御部２５は、テープが始端まで巻き戻されたことがわかると、テープ記録再生部２１に再生を行うように指令をし、かつデジタル記録部２２にテープ記録再生部２１から再生されて送られてくる映像音声情報を記録するように指令を出す。いわゆるダビング動作を開始する。
【００１１】
次に、ダビング動作中にテープ始終端検出部２４がテープ終端を検出したら、検出したことをダビング制御部２５に知らせる。すると、ダビング制御部２５はテープ記録再生部２１に再生を停止するように指令をし、かつデジタル記録部２２に記録を停止するように指令をする。
【００１２】
以上のようにして、ユーザーは簡単にテープに記録されている映像音声情報をディスクにダビングすることができる。
【特許文献１】特開平３−２８５７９号公報
【発明の開示】
【発明が解決しようとする課題】
【００１３】
しかしながら、上述した映像音声記録再生装置では、１本のビデオテープの中に複数の番組が記録されていて、その中でダビングしたいものとダビングしたくないものとが混在している場合、ディスクにダビングしたい番組以外のもの（ダビングしたくないもの）も一緒にダビングされてしまい、後々ディスクに記録された番組から不要な番組を削除するなどの編集作業が必要になるという課題を有している。さらに、ライトワンスのディスクであった場合は、記録領域を無駄に使用してしまうという問題も有していた。つまり、ビデオテープに記録された複数の番組から、選択的に番組をダビングすることはできなかった。
【００１４】
本発明は、上記のような課題を解決するためになされたもので、ユーザが簡単な操作でビデオテープなどの磁気テープメディアに記録されているアナログ映像音声情報の中の一部分をＤＶＤなどのデジタル記録メディアにダビングできる映像音声記録再生装置を提供することを目的としている。
【課題を解決するための手段】
【００１５】
上記目的を達成するために請求項１及び２の発明は、磁気テープメディアに映像音声情報およびインデックス信号を記録再生したり、テープの巻戻しや早送りを行うテープ記録再生部と、テープ記録再生部から送られてくる映像音声情報をデジタル化してデジタル記録メディアに対して書込みを行うデジタル記録部と、ユーザーがダビング動作開始を指令したりテープ記録再生部やデジタル記録部の操作を行う操作部と、テープ記録再生部が記録を開始するとテープ記録再生部に対してインデックス信号の書き込みを指令したり、テープ記録再生部が再生中にはインデックス信号を検出してダビング制御部へ知らせるインデックス信号制御部と、テープ記録再生部が再生中に操作部からダビング開始指令を受けると、インデックス信号制御部がインデックスを検出するまでテープ記録再生部にテープ巻戻し指令を出し、インデックス信号を検出した個所からテープ記録再生部に再生を開始させ、それに同期させてデジタル記録部に記録を開始させ、次にインデックス信号制御部がインデックスを検出したら、テープ記録再生部の再生を停止させ、それに同期させてデジタル記録の記録を停止させるダビング制御部とを備えた構成を有している。
【００１６】
この構成によって、ユーザーが簡単な操作でビデオテープなどの磁気テープメディアに記録されているアナログ映像音声情報の中の一部分をＤＶＤなどのデジタル記録メディアにダビングできる効果を得ることができる。
【００１７】
また、請求項３の発明は、映像音声記録再生装置において前記デジタル記録部の代わりに、磁気テープに映像音声情報を記録するアナログ記録部有しており、ユーザーが簡単な操作でビデオテープなどの磁気テープメディアに記録されているアナログ映像音声情報の中の一部分をアナログでダビングできる効果を得ることができる。
【発明の効果】
【００１８】
以上のように本発明は、簡単なユーザー操作で例えばビデオテープなどの磁気テープメディアに記録される複数の番組の中の一つだけを、例えばＤＶＤなどのデジタル記録メディアにダビングを行うことができるといった優れた効果が得られる。
【００１９】
また、複数の番組が記録されたテープから、所望の番組だけを他の記録媒体（本実施の形態では記録型ディスク）にダビングした場合、テープをダビングしたい番組のテープ位置まで送っておいた上で、ダビング開始指令を行うことで、ダビングしたい番組のみの始端から終端までをディスクにダビングすることができる。よって、所望番組のみのダビング動作を簡単に行うことができる。
【００２０】
さらに、ダビングに先立ち、テープにおける所望番組を正確に頭出ししておく必要はないので、ダビングの操作性も向上する。
【００２１】
また、従来技術のように、テープ１本分全てをディスクに全てダビングするものではなく、不要な番組はダビングせずに済むため、ダビング後のディスク内の記録情報の編集（不要番組の削除など）をする必要はない。
【００２２】
また、記録後に編集が不可能なライトワンスの記録媒体（例えば、ＤＶＤ−ＲやＣＤ−Ｒ）を用いてダビングを行っても、記録領域の無駄の発生を防ぐことができる。
【００２３】
また、本発明では、簡単なユーザ操作で例えばビデオテープなどの磁気テープメディアに記録される複数の番組の中の一つだけを、別のビデオテープなどの磁気テープメディアにダビングを行うことができるといった優れた効果が得られる。
【発明を実施するための最良の形態】
【００２４】
本発明の請求項１及び２に記載の発明は、磁気テープメディアに映像音声情報およびインデックス信号を記録再生したり、テープの巻戻しや早送りを行うテープ記録再生部と、テープ記録再生部から送られてくる映像音声情報をデジタル化してデジタル記録メディアに対して書込みを行うデジタル記録部と、ユーザーがダビング動作開始を指令したりテープ記録再生部やデジタル記録部の操作を行う操作部と、テープ記録再生部が記録を開始するとテープ記録再生部に対してインデックス信号の書き込みを指令したり、テープ記録再生部が再生中にはインデックス信号を検出してダビング制御部へ知らせるインデックス信号制御部と、テープ記録再生部が再生中に操作部からダビング開始指令を受けると、インデックス信号制御部がインデックスを検出するまでテープ記録再生部にテープ巻戻し指令を出し、インデックス信号を検出した個所からテープ記録再生部に再生を開始させ、それに同期させてデジタル記録部に記録を開始させ、次にインデックス信号制御部がインデックスを検出したら、テープ記録再生部の再生を停止させ、それに同期させてデジタル記録の記録を停止させるダビング制御部とを備えた構成を有する。
【００２５】
また、請求項３に記載の発明は、デジタル記録部の代わりに、磁気テープに映像音声情報を記録するアナログ記録部を備えた構成を有する。
【００２６】
以下に図を用いて本発明の実施の形態を説明する。
【００２７】
（実施の形態１）
図１は本発明の実施の形態の映像音声記録再生装置におけるダビング制御に関する部分の構成を示すブロック図である。図２は本実施の形態のダビング動作を示すフローチャートである。
【００２８】
図１において、１１は磁気テープメディア（以下テープ）に映像音声情報およびインデックス信号を記録再生したり、テープの巻戻しや早送りを行う記録再生手段であるテープ記録再生部であり、テープをローディングしたり走行させたりするキャプスタンやリール台やモータなどのメカニズム、メカニズムを駆動制御するサーボ系回路、テープに対して映像音声信号などを記録再生可能な回転ヘッドなどからなる。
【００２９】
１２は前記テープ記録再生部１１から送られてくる映像音声情報をデジタル化してデジタル記録メディアに対して書込みを行う記録手段であるデジタル記録部であり、本実施の形態で使用するデジタル記録メディアは記録型ＤＶＤとしたが、ＤＶＤの他に記録型ＣＤ（コンパクトディスク）などのように記録型の光ディスクでよく、また光ディスクに限らずＭＯなどのように光磁気ディスクでもよい。さらに、媒体の形状はディスク状（円盤状）に限らず、静的記録を行うメモリカードのような半導体メモリであっても構わない。つまり、デジタル記録するものであれば、媒体の形態は問わない。
【００３０】
１３はユーザーがダビング動作開始を指令したり前記テープ記録再生部１１や前記デジタル記録部１２の操作を行う操作部であり、図４に示すような複合機の場合、本体前面パネルに装備された各種操作ボタンに相当するものである。他に、本装置ならびに図４に示す複合機を遠隔操作可能なリモコン（図示せず）に設けられた各種操作ボタンに相当する。
【００３１】
１４は前記テープ記録再生部１１が記録を開始すると前記テープ記録再生部１１に対してインデックス信号の書き込みを指令したり、前記テープ記録再生部１１が再生中にはインデックス信号を検出してダビング制御部１５へ知らせる信号検出手段であるインデックス信号制御部である。インデックス信号の例としては、テープのコントロールトラック（テープの上端または下端に記録される領域）に、テープの走行方向に沿って記録するものがある。
【００３２】
１５は、前記テープ記録再生部１１が再生中に前記操作部１３からダビング開始指令を受けると、前記インデックス信号制御部１４がインデックスを検出するまで前記テープ記録再生部１１にテープ巻戻し指令を出し、インデックス信号を検出した個所から前記テープ記録再生部１１に再生を開始させ、それに同期させて前記デジタル記録部１２に記録を開始させ、次に前記インデックス信号制御部１４がインデックスを検出したら、前記テープ記録再生部１１の再生を停止させ、それに同期させて前記デジタル記録１２の記録を停止させるダビング制御手段であるダビング制御部である。
【００３３】
以上のように構成された本実施の形態の映像音声記録再生装置について、以下その動作を図２及び図３も用いて説明する。
【００３４】
図３は、ビデオテープをディスクにダビングする際のダビング元のテープの状態を示す図であり、３１はテープである。図中のｔ１及びｔ２の位置にインデックス信号が書かれているものとする。番組Ｎはダビングしたい番組、番組Ｎ−１は番組Ｎよりも始端側に記録された番組、番組Ｎ＋１は番組よりもテープ終端側に記録された番組であり、本実施の形態では使用者がダビングしたい番組はＮのみとし、Ｎ−１とＮ＋１の番組はダビングしたくない番組とする。Ａはダビング開始指令をしたタイミング、Ｂは番組Ｎの始端のタイミング、Ｃは番組Ｎの終端のタイミングである。
【００３５】
一般に、ビデオテープレコーダーは、テープに記録された番組の検索をするために、テープ上のコントロールトラックにインデックス信号（ＶＩＳＳ信号）を書き込んだり、読出したりする機能を有している。このインデックス信号は、通常、テープへ番組の録画を開始する際に自動的に書きこまれるため、テープ上に記録された番組の前後は、このインデックス信号で区切られている。
【００３６】
図１に示す本実施の形態の映像音声記録再生装置でも、このような機能をインデックス信号制御部１１で行う。インデックス制御部１１は、テープ記録再生部が記録を開始すると、インデックス信号をビデオテープのコントロールトラックに自動的に書きこむ。このようにして、１本のビデオテープに複数の番組が記録された状態を示す図が図３である。
【００３７】
この図３のようなビデオテープを再生しているときに、現在再生されている番組をディスクにダビングしようとしたとき、ユーザーはまず、操作部１３からダビング開始指令、つまり操作部１３におけるダビング開始ボタンを操作する（図２のステップＳ１）。ダビング開始指令を受けてダビング制御部１５が、テープ記録再生部１１にテープ巻き戻し指令を送る。
【００３８】
この指令によりテープ記録再生部１１がテープの巻き戻し動作を開始する（図２のステップ２Ｓ）。テープを巻き戻している間、インデックス制御部１４は、インデックス信号の検出を行う（図２のステップＳ３）。今、図３のＡの位置でユーザーからダビング開始指令を送った場合、Ｂの位置まで巻き戻された時点でインデックス制御部１４は、インデックス信号を検出し、ダビング制御部１５へそのことを知らせる。一方で、テープ巻き戻し中にインデックス信号を検出しない場合は、継続して巻き戻し動作を行う。
【００３９】
ダビング制御部１５は、インデックス制御部１４からインデックスを検出したことを知らされると、テープ記録再生部１１にテープの再生動作を開始するように指令するとともに、デジタル記録部１２に対してディスクの記録動作を開始するよう指令する。この指令によりデジタル記録部１２は、テープ記録再生部１１で再生されているアナログ映像音声信号を、ディスクにデジタル記録する。つまり、デジタル記録部１２はダビング制御部１５の指示に従いダビングを開始するわけである（図２のステップＳ４）。
【００４０】
このようにして、テープ記録再生部１１の映像音声情報をデジタル記録部１２がダビング動作をしている間、インデックス制御部１４は、テープ記録再生部１１で再生中のテープから、次のインデックス信号の検出を行っている。
【００４１】
テープ記録再生部１１が図３のＣ位置まで再生を行った時点で、インデックス制御部１４はインデックス信号を検出し、それをダビング制御部１５に通知する（図２のステップＳ５）。
【００４２】
ダビング制御部１５は、インデックス制御部１４からインデックス信号が検出されたことを通知されると、テープ記録再生部１１にテープの再生動作を停止するように指令するとともに、デジタル記録部１２に対してディスクの記録動作を停止するように指令を出す（図２のステップＳ６）。
【００４３】
これにより、テープ記録再生部１１およびデジタル記録部１２は、ダビング動作を終了し、テープにおける番組Ｎだけをディスクにダビングすることができる。
【００４４】
以上のように本実施の形態によれば、複数の番組が記録されたテープから、所望の番組だけを他の記録媒体（本実施の形態では記録型ディスク）にダビングした場合、テープをダビングしたい番組のテープ位置まで送っておいた上で、ダビング開始指令を行うことで、ダビングしたい番組のみの始端から終端までをディスクにダビングすることができる。よって、所望番組のみのダビング動作を簡単に行うことができる。
【００４５】
さらに、ダビングに先立ち、テープにおける所望番組を正確に頭出ししておく必要はないので、ダビングの操作性も向上する。
【００４６】
また、従来技術のように、テープ１本分全てをディスクに全てダビングするものではなく、不要な番組はダビングせずに済むため、ダビング後のディスク内の記録情報の編集（不要番組の削除など）をする必要はない。
【００４７】
また、記録後に編集が不可能なライトワンスの記録媒体（例えば、ＤＶＤ−ＲやＣＤ−Ｒ）を用いてダビングを行っても、記録領域の無駄の発生を防ぐことができる。
【００４８】
上記の例において、デジタル記録部１２の代わりに、磁気テープに映像音声情報を記録するアナログ記録部を備えた場合、ビデオテープ間でも同様な効果が得られるのは、容易に理解できることである。
【産業上の利用可能性】
【００４９】
本発明は、第１の記録媒体から第２の記録媒体へのダビングの際、第１の記録媒体における必要部分のみワンタッチで第２の記録媒体へダビングすることができる映像音声記録再生装置に関するものである。
【図面の簡単な説明】
【００５０】
【図１】本発明の実施形態１における映像音声記録再生装置のブロック図
【図２】同実施の形態におけるダビング動作を示すフローチャート
【図３】テープをＤＶＤにダビングする際のダビング元テープの状態を示す模式図
【図４】ＶＴＲとＤＶＤレコーダーの複合機の外観を示す模式図
【図５】従来の映像音声記録再生装置のブロック図
【符号の説明】
【００５１】
１１    テープ記録再生部
１２    デジタル記録部
１３    操作部
１４    インデックス制御部
１５    ダビング制御部
【図１】
2005150899.tif 000003
【図２】
2005150899.tif 000004
【図３】
2005150899.tif 000005
【図４】
2005150899.tif 000006
【図５】
2005150899.tif 000007